(57)【特許請求の範囲】
【請求項１】
空気を流通可能とする環状の空気流通路を有する密閉構造内部に配置される光学部品と、前記環状の空気流通路の空気を循環させる循環ファンとを備えたプロジェクタであって、
前記密閉構造は、
前記光学部品を内部に収納配置するとともに、内部に空気を流入させるための流入口および外部に空気を流出させるための流出口を有する光学部品用筐体と、
前記流入口を介して前記光学部品用筐体内部に空気を導くとともに、前記流出口を介して前記光学部品用筐体内部から外部に流出した空気を再度、前記流入口を介して前記光学部品用筐体内部に導くダクト部材と、
前記密閉構造内部に面し前記密閉構造内部の空気の熱を受熱する受熱側伝熱部材、および前記密閉構造外部に面し前記受熱側伝熱部材と熱伝達可能に接続して前記受熱側伝熱部材の熱を前記密閉構造外部に放熱する放熱側伝熱部材を有する複数の熱交換器とを備え、
前記複数の熱交換器は、前記流出口を介して前記光学部品用筐体内部から外部に流出し、再度、前記流入口に向う空気の流路において、空気の流通方向に沿って配設され、
前記複数の熱交換器のうち、前記複数の熱交換器が配設される前記流路における上流側から１つ目の前記熱交換器は、前記受熱側伝熱部材および前記放熱側伝熱部材の間に、熱伝導性を有し前記受熱側伝熱部材および前記放熱側伝熱部材を熱伝達可能に接続する第１のブロックと、平面視で前記受熱側伝熱部材を覆う外形形状を有し前記第１のブロックを保持する第１の取付部材とが介在配置され、
前記第１の取付部材は、熱伝導率が０．９Ｗ／（ｍ・Ｋ）以下の材料で構成され、前記第１のブロックを収納可能とする開口部を有し、前記第１のブロックの外縁部分を覆うように形成され、
前記複数の熱交換器のうち、前記複数の熱交換器が配設される前記流路における上流側から２つ目以降の前記熱交換器は、前記受熱側伝熱部材および前記放熱側伝熱部材の間に、放熱面が前記放熱側伝熱部材に熱伝達可能に接続する熱電変換素子と、熱伝導性を有し前記受熱側伝熱部材および前記熱電変換素子の吸熱面を熱伝達可能に接続する第２のブロックと、平面視で前記受熱側伝熱部材を覆う外形形状を有し前記熱電変換素子および前記第２のブロックを保持する第２の取付部材とが介在配置され、
前記第２の取付部材は、熱伝導率が０．９Ｗ／（ｍ・Ｋ）以下の材料で構成され、前記第２のブロックを収納可能とする開口部と、平面視で前記開口部を囲み前記放熱側伝熱部材側に突出する枠形状を有し前記熱電変換素子を収納可能とする保持部とを有し、前記第２のブロックおよび前記熱電変換素子の双方の外縁部分を覆うように形成されている
ことを特徴とするプロジェクタ。
【請求項２】
請求項１に記載のプロジェクタにおいて、
前記複数の熱交換器は、近接して配設されている
ことを特徴とするプロジェクタ。
【請求項３】
請求項１または請求項２に記載のプロジェクタにおいて、
前記熱電変換素子に電力を供給して前記熱電変換素子の動作を制御する制御装置と、
前記密閉構造内部の温度を検出する内部温度検出部とを備え、
前記制御装置は、
前記内部温度検出部にて検出された内部温度が所定の第１設定温度以下である場合に、前記熱電変換素子への電力供給を停止する
ことを特徴とするプロジェクタ。
【請求項４】
請求項１から請求項３のいずれかに記載のプロジェクタにおいて、
前記熱電変換素子に電力を供給して前記熱電変換素子の動作を制御する制御装置と、
前記密閉構造外部の温度を検出する外部温度検出部とを備え、
前記制御装置は、
前記外部温度検出部にて検出された外部温度が所定の第２設定温度以下である場合に、前記熱電変換素子への電力供給を停止する
ことを特徴とするプロジェクタ。
【請求項５】
請求項１から請求項４のいずれかに記載のプロジェクタにおいて、
前記複数の熱交換器のうち、前記複数の熱交換器が配設される前記流路における上流側から１つ目の前記熱交換器は、他の前記熱交換器に対して、前記受熱側伝熱部材および前記放熱側伝熱部材の表面積が大きくなるように形成されている
ことを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して画像光を形成する光変調装置と、画像光を拡大投射する投射光学装置とを備えたプロジェクタが知られている。
このプロジェクタにおいて、光変調装置の表面に塵埃、油煙等が付着すると、投影画像の画質が劣化してしまう。また、液晶パネル等の光変調装置は、一般的に熱に弱いため、光源装置からの光束の照射による発熱により、熱劣化が生じる恐れがある。
そこで、投影画像の画質を安定に確保し、光変調装置を効率的に冷却するために、光変調装置を密閉構造内部に配置し、密閉構造内部の空気を循環ファンにて循環させつつ、ペルチェ素子等の熱電変換素子により密閉構造内部の空気の熱を密閉構造外部に放熱する構造が提案されている（例えば、特許文献１参照）。
【０００３】
【特許文献１】特開２０００−２９８３１１号公報
【発明の開示】
【発明が解決しようとする課題】
【０００４】
しかしながら、特許文献１に記載の構造では、密閉構造内部の空気を冷却するための部材（熱電変換素子）が１つのみで構成されているため、例えば、密閉構造内部の光学部品の発熱量が多い場合等には、密閉構造内部の空気を効果的に冷却することが難しい。すなわち、光変調装置等の光学部品を効率的に冷却することが難しい。
したがって、投影画像の画質を長期間安定して確保し、かつ、光変調装置等の光学部品を効率的に冷却できる技術が要望されている。
【０００５】
本発明の目的は、投影画像の画質を安定に確保し、かつ、光学部品を効率的に冷却できるプロジェクタを提供することにある。
【課題を解決するための手段】
【０００６】
本発明のプロジェクタは、空気を流通可能とする環状の空気流通路を有する密閉構造内部に配置される光学部品と、前記環状の空気流通路の空気を循環させる循環ファンとを備えたプロジェクタであって、前記密閉構造は、前記光学部品を内部に収納配置するとともに、内部に空気を流入させるための流入口および外部に空気を流出させるための流出口を有する光学部品用筐体と、前記流入口を介して前記光学部品用筐体内部に空気を導くとともに、前記流出口を介して前記光学部品用筐体内部から外部に流出した空気を再度、前記流入口を介して前記光学部品用筐体内部に導くダクト部材と、前記密閉構造内部に面し前記密閉構造内部の空気の熱を受熱する受熱側伝熱部材、および前記密閉構造外部に面し前記受熱側伝熱部材と熱伝達可能に接続して前記受熱側伝熱部材の熱を前記密閉構造外部に放熱する放熱側伝熱部材を有する複数の熱交換器とを備え、前記複数の熱交換器は、前記流出口を介して前記光学部品用筐体内部から外部に流出し、再度、前記流入口に向う空気の流路において、空気の流通方向に沿って配設され、前記複数の熱交換器のうち、前記複数の熱交換器が配設される前記流路における上流側から１つ目の前記熱交換器は、前記受熱側伝熱部材および前記放熱側伝熱部材の間に、熱伝導性を有し前記受熱側伝熱部材および前記放熱側伝熱部材を熱伝達可能に接続する第１のブロックと、平面視で前記受熱側伝熱部材を覆う外形形状を有し前記第１のブロックを保持する第１の取付部材とが介在配置され、前記第１の取付部材は、熱伝導率が０．９Ｗ／（ｍ・Ｋ）以下の材料で構成され、前記第１のブロックを収納可能とする開口部を有し、前記第１のブロックの外縁部分を覆うように形成され、前記複数の熱交換器のうち、前記複数の熱交換器が配設される前記流路における上流側から２つ目以降の前記熱交換器は、前記受熱側伝熱部材および前記放熱側伝熱部材の間に、放熱面が前記放熱側伝熱部材に熱伝達可能に接続する熱電変換素子と、熱伝導性を有し前記受熱側伝熱部材および前記熱電変換素子の吸熱面を熱伝達可能に接続する第２のブロックと、平面視で前記受熱側伝熱部材を覆う外形形状を有し前記熱電変換素子および前記第２のブロックを保持する第２の取付部材とが介在配置され、前記第２の取付部材は、熱伝導率が０．９Ｗ／（ｍ・Ｋ）以下の材料で構成され、前記第２のブロックを収納可能とする開口部と、平面視で前記開口部を囲み前記放熱側伝熱部材側に突出する枠形状を有し前記熱電変換素子を収納可能とする保持部とを有し、前記第２のブロックおよび前記熱電変換素子の双方の外縁部分を覆うように形成されていることを特徴とする。
【０００７】
本発明では、密閉構造を構成する光学部品用筐体内部に光変調装置等の光学部品が収納配置されているので、光学部品に塵埃、油煙等が付着することを防止でき、プロジェクタから投射される投影画像の画質を長期間安定に確保できる。
また、密閉構造を構成する熱交換器は、複数設けられているので、流路中の種々の位置で、受熱側伝熱部材にて密閉構造内部の空気の熱を受熱し、受熱側伝熱部材にて受熱した熱を放熱側伝熱部材にて密閉構造外部に放熱させることができる。このため、例えば、密閉構造内部の光学部品の発熱量が多い場合等であっても、密閉構造内部の空気を効果的に冷却でき、光学部品を効率的に冷却できる。
さらに、複数の熱交換器は、空気の流通方向に沿って配設されているので、複数の熱交換器が配設される流路の上流側に配設される熱交換器から順に、流路に沿って流通する空気を段階的に冷却できる。このため、温度のより低減した空気を光学部品用筐体内部に収納配置される光学部品に向けて送風でき、光学部品をより効率的に冷却できる。
ところで、複数の熱交換器のうち、複数の熱交換器が配設される流路における上流側から１つ目に配設される熱交換器（以下、第１の熱交換器と記載）には、光学部品にて温められた空気が最初に流通することとなる。すなわち、第１の熱交換器には、温度の高い空気が流通することとなる。ここで、密閉構造外部の外部温度（雰囲気温度）と密閉構造内部の内部温度との温度差が大きい場合には、受熱側伝熱部材および放熱側伝熱部材の熱伝達特性が良好になるため、熱電変換素子を使用した構成と使用しない構成とで、密閉構造内部の空気から吸熱する効率は略同一のものとなる。
本発明では、第１の熱交換器は、熱電変換素子を備えていない。すなわち、第１の熱交換器によって、熱電変換素子を使用した構成と同一の効率で、密閉構造内部の空気から吸熱できる。このため、熱電変換素子を省略することで、プロジェクタの低コスト化、および省電力化が図れる。
また、第１の熱交換器を流通することで空気の温度が低下するため、第１の熱交換器を除く他の熱交換器には、外部温度との温度差の小さい空気が流通することとなる。このように温度差が小さい場合には、熱電変換素子を使用した熱交換器の方が、熱電変換素子を使用しない熱交換器よりも、密閉構造内部の空気から吸熱する効率が高い。
本発明では、第１の熱交換器を除く他の熱交換器は、熱電変換素子を備える。このことにより、第１の熱交換器にて冷却された空気の温度をさらに前記他の熱交換器により低下させることができる。
【０００８】
本発明のプロジェクタでは、前記複数の熱交換器は、近接して配設されていることが好ましい。
本発明では、複数の熱交換器は、近接して配設されている。このことにより、例えば複数の熱交換器が離間して配設されている構成と比較して、各熱交換器間において、空気の温度上昇を回避でき、各熱交換器を介して空気が流通することで空気の温度を段階的に低減できる。
【００１１】
本発明のプロジェクタでは、前記熱電変換素子に電力を供給して前記熱電変換素子の動作を制御する制御装置と、前記密閉構造内部の温度を検出する内部温度検出部とを備え、前記制御装置は、前記内部温度検出部にて検出された内部温度が所定の第１設定温度以下である場合に、前記熱電変換素子への電力供給を停止することが好ましい。
本発明では、制御装置は、密閉構造の内部温度が低い（例えば、光学部品の目標温度よりも低い）場合、すなわち、密閉構造内部の空気の温度を低下させる必要のない場合に、熱電変換素子への電力供給を停止する。このことにより、プロジェクタの省電力化が図れる。
【００１２】
本発明のプロジェクタでは、前記熱電変換素子に電力を供給して前記熱電変換素子の動作を制御する制御装置と、前記密閉構造外部の温度を検出する外部温度検出部とを備え、前記制御装置は、前記外部温度検出部にて検出された外部温度が所定の第２設定温度以下である場合に、前記熱電変換素子への電力供給を停止することが好ましい。
本発明では、制御装置は、密閉構造の外部温度が低く、密閉構造の内部温度と外部温度との温度差が大きい場合に、熱電変換素子への電力供給を停止する。上述したように、外部温度と内部温度との温度差が大きい場合には、熱電変換素子を使用した構成と使用しない構成とで、密閉構造内部の空気から吸熱する効率が略同一のものとなる。すなわち、上述した場合において、熱電変換素子への電力供給を停止し、見掛け上、熱電変換素子を使用しない構成としても、密閉構造内部の空気から吸熱する効率が略同一のものとなるため、密閉構造内部の空気を良好に冷却しつつ、プロジェクタの省電力化が図れる。
【００１３】
本発明のプロジェクタでは、前記複数の熱交換器のうち、前記複数の熱交換器が配設される前記流路における上流側から１つ目の前記熱交換器は、他の前記熱交換器に対して、前記受熱側伝熱部材および前記放熱側伝熱部材の表面積が大きくなるように形成されていることが好ましい。
本発明では、第１の熱交換器は、他の熱交換器に対して、受熱側伝熱部材および放熱側伝熱部材の表面積が大きくなるように形成されている。このことにより、第１の熱交換器には光学部品にて温められた温度の高い空気が最初に流通するので、第１の熱交換器によって、温度の高い空気から効果的に吸熱でき、流路に沿って流通する空気を効率よく段階的に冷却できる。
【発明を実施するための最良の形態】
【００１４】
[第１実施形態]
以下、本発明の第１実施形態を図面に基づいて説明する。
〔外観構成〕
図１は、本実施形態におけるプロジェクタ１の外観を示す斜視図である。具体的に、図１は、プロジェクタ１を前面上方側から見た斜視図である。
なお、以下では、説明の便宜上、前面から見て左を「左」とし、前面から見て右を「右」として記載する。
プロジェクタ１は、光源から射出された光束を画像情報に応じて変調して画像光を形成し、形成した画像光をスクリーン（図示略）上に拡大投射するものである。このプロジェクタ１は、外装を構成する外装筐体２を備える。
【００１５】
外装筐体２は、合成樹脂製の筐体であり、プロジェクタ１の装置本体を収納する。この外装筐体２は、図１に示すように、装置本体の上部部分、前面部分の一部、側面部分の一部、および背面部分の一部を覆うアッパーケース２１と、装置本体の下部部分、前面部分の一部、側面部分の一部、および背面部分の一部を覆うロアーケース２２とを備える。
【００１６】
〔内部構成〕
図２および図３は、プロジェクタ１の内部構成を示す斜視図である。具体的に、図２は、図１の状態からアッパーケース２１を取り外した状態を示す斜視図である。図３は、図２の状態から制御基板５を取り外した状態を示す斜視図である。
外装筐体２の内部には、図２または図３に示すように、プロジェクタ１の装置本体が収容されている。そして、この装置本体は、光学ユニット３と、電源ユニット４と、制御基板５（図２）と、筐体内部冷却装置６と、密閉循環空冷ユニット７（図３）とを備える。
【００１７】
〔光学ユニットの構成〕
図４ないし図６は、光学ユニット３の構成を示す図である。具体的に、図４は、光学ユニット３を背面上方側から見た斜視図である。図５は、光学ユニット３を前面下方側から見た斜視図である。図６は、光学ユニット３の光学系を模式的に示す平面図である。
光学ユニット３は、制御基板５による制御の下、画像情報に応じて画像光を形成するものであり、外装筐体２の前面側から背面側に向けて延出し、延出方向先端部分が右側に屈曲して延出し、さらに、前面側に屈曲して延出する平面視略Ｕ字形状を有している。
【００１８】
この光学ユニット３は、図６に示すように、光源ランプ３１１およびリフレクタ３１２を有する光源装置３１と、レンズアレイ３２１，３２２、偏光変換素子３２３、反射ミラー３２４、および重畳レンズ３２５を有する照明光学装置３２と、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４と、光変調装置としての３つの液晶パネル３５１（赤色光側の液晶パネルを３５１Ｒ、緑色光側の液晶パネルを３５１Ｇ、青色光側の液晶パネルを３５１Ｂとする）、３つの入射側偏光板３５２、３つの射出側偏光板３５３、および色合成光学装置としてのクロスダイクロイックプリズム３５４を有する光学装置３５と、光学部品用筐体３６と、投射光学装置としての投射レンズ３７とを備える。
なお、上述した各光学部品３１〜３５，３７については、種々の一般的なプロジェクタの光学系として利用されているため、具体的な説明を省略し、以下では、光学部品用筐体３６の構成を説明する。
【００１９】
光学部品用筐体３６は、図４または図５に示すように、平面視略Ｕ字形状を有し、内部に所定の照明光軸Ａ（図６）が設定され、上述した各光学部品３１〜３５を照明光軸Ａに対する所定位置に配置する。この光学部品用筐体３６は、部品収納部材３６１と、蓋状部材３６２とを備える。
【００２０】
部品収納部材３６１は、光源装置収納部３６１１と、部品収納部本体３６１２とで構成される。
光源装置収納部３６１１は、光学部品用筐体３６のＵ字形状一端側に位置し、下方側に開口部３６１１Ａ（図５）を有する容器状に形成されている。そして、光源装置収納部３６１１には、開口部３６１１Ａを介して、光源装置３１が収納される。
【００２１】
部品収納部本体３６１２は、上方側に開口部（図示略）を有する容器状に形成されている。そして、部品収納部本体３６１２には、前記開口部を介して、光源装置収納部３６１１と接続する一端側から順に、各光学部品３２〜３４が収納され、前記一端側とは反対側の他端側に光学装置３５が収納される。また、部品収納部本体３６１２には、光学装置３５に対向する側面に投射レンズ３７が取り付けられる。
この部品収納部本体３６１２において、下方側端面には、光学装置３５を構成する各液晶パネル３５１Ｒ，３５１Ｇ，３５１Ｂの配置位置に対応した位置にそれぞれ開口部３６１２Ｒ，３６１２Ｇ，３６１２Ｂ（図５）が形成されている。
また、部品収納部本体３６１２において、下方側端面には、偏光変換素子３２３の配置位置に対応した位置に開口部３６１２Ｐ（図５）が形成されている。
これら各開口部３６１２Ｒ，３６１２Ｇ，３６１２Ｂ，３６１２Ｐは、光学部品用筐体３６内部における光学装置３５の配置位置の空間Ａｒ１（図４、図６）、および偏光変換素子３２３の配置位置の空間Ａｒ２（図４、図６）に空気を流入させる流入口として機能する。
【００２２】
蓋状部材３６２は、部品収納部本体３６１２の上方側の開口部分を閉塞する部材であり、部品収納部本体３６１２の平面形状と略同一の平面形状を有する。
この蓋状部材３６２には、光学装置３５の配置位置に対応して、光学装置３５を平面的に囲うようにＵ字状の切り欠き３６２１（図４）が形成されている。
また、蓋状部材３６２には、偏光変換素子３２３の配置位置に対応して開口部３６２２（図４）が形成されている。
これら切り欠き３６２１および開口部３６２２は、上述した各開口部３６１２Ｒ，３６１２Ｇ，３６１２Ｂ，３６１２Ｐを介して光学部品用筐体３６内部における空間Ａｒ１，Ａｒ２に流入された空気を光学部品用筐体３６外部に排出するための流出口として機能する。
【００２３】
なお、具体的な図示は省略したが、光学部品用筐体３６内部において、空間Ａｒ１は、部品収納部本体３６１２に形成されたリブ、入射側偏光板３５２等の光学部品により、隣接する他の空間と連通しないように構成されている。また、同様に、光学部品用筐体３６内部において、空間Ａｒ２は、部品収納部本体３６１２に形成されたリブや、レンズアレイ３２２および重畳レンズ３２５等の光学部品により、隣接する他の空間と連通しないように構成されている。
【００２４】
〔電源ユニットの構成〕
電源ユニット４は、プロジェクタ１の装置本体を構成する各構成部材に電力を供給する。この電源ユニット４は、図２または図３に示すように、外装筐体２における左側の側面に沿って、背面側から前面側にかけて延びるように配置されている。そして、電源ユニット４は、前面側および背面側が開口されたアルミニウム等の金属製のシールド部材４１によって周囲が覆われている。
【００２５】
〔制御基板の構成〕
制御基板５は、図２に示すように、ＣＰＵ（Central Processing Unit）等の回路素子が実装された回路基板として構成され、密閉循環空冷ユニット７の後述する各下流側ダクト部材８１，９１を介して光学ユニット３の上方側に配置される。そして、制御基板５は、プロジェクタ１を構成する各構成部材の動作を制御する。
なお、密閉循環空冷ユニット７を構成する後述する熱交換器８５のペルチェ素子８７４の動作を制御する制御構造については、熱交換器８５の詳細な構成を説明した後に、説明する。
【００２６】
〔筐体内部冷却装置の構成〕
図７は、筐体内部冷却装置６の構成を示す斜視図である。具体的に、図７は、背面上方側から見た斜視図である。
筐体内部冷却装置６は、外装筐体２内部において、光学部品用筐体３６外部に配置される各構成部材（制御基板５、光源装置３１、電源ユニット４等）を冷却する。この筐体内部冷却装置６は、図７に示すように、吸気ユニット６１と、中継ダクト６２と、電源冷却用ファン６３と、排気ユニット６４とを備える。
【００２７】
吸気ユニット６１は、外装筐体２内部における右背面側の角隅部分に配設され、外装筐体２における右側の側面部分の背面側に形成された第１吸気口（図示略）を介して、外装筐体２外部の冷却空気を内部に導入する。この吸気ユニット６１は、前記第１吸気口を介して冷却空気Airを導入する吸気側ダクト６１１と、吸気側ダクト６１１を介して導入した冷却空気Airを背面側に吐出する吸気ファン６１２とを備える。
【００２８】
中継ダクト６２は、一端が吸気ファン６１２の吐出口に接続し、外装筐体２の背面に沿って電源ユニット４の背面側まで延出する略直方体形状を有する。そして、中継ダクト６２は、吸気ファン６１２から吐出された空気を、流路Ｃ１１を辿って、外装筐体２における右側面側から左側面側に向けて流通させる。
この中継ダクト６２において、前面側の端面には、具体的な図示は省略したが、密閉循環空冷ユニット７の一部を内部に配設するための２つの配設用開口部が左右方向に並列するように形成されている。
【００２９】
また、この中継ダクト６２において、前面側の端面には、右側の前記配設用開口部の上方側に、流路Ｃ１１を辿って流通する空気の一部を外部に排出する冷却用開口部６２１（図２、図３、図７）が形成されている。
この冷却用開口部６２１は、左右方向に延びるように形成され、中継ダクト６２が組み込まれた状態で、その高さ位置が制御基板５と密閉循環空冷ユニット７の後述する第１の下流側ダクト部材８１の上方側端面との間に位置する。そして、冷却用開口部６２１を介して排出された空気は、制御基板５と第１の下流側ダクト部材８１の上方側端面との間の流路Ｃ１２を辿って流通し、制御基板５や第１の下流側ダクト部材８１の上方側端面が冷却される。
【００３０】
電源冷却用ファン６３は、電源ユニット４の背面側に配設され、中継ダクト６２の他端に接続する。そして、電源冷却用ファン６３は、中継ダクト６２を介して吸入した空気を電源ユニット４に向けて吐出する。電源冷却用ファン６３から吐出された空気は、シールド部材４１の背面側の開口部分からシールド部材４１内部に導入され、シールド部材４１内外を連通する流路Ｃ１３を辿って流通し、電源ユニット４を構成する回路素子が冷却される。
【００３１】
排気ユニット６４は、外装筐体２内部における左前面側の角隅部分に配設され、外装筐体２における前面部分の左側に形成された排気口２０１（図１）を介して、外装筐体２内部の空気を外部に排出する。この排気ユニット６４は、内部の空気（流路Ｃ１２，Ｃ１３を辿った空気、光源装置３１近傍の空気）を吸入して吐出する排気ファン６４１と、排気口２０１を介して排気ファン６４１から吐出された空気を外装筐体２外部に排出する排気側ダクト６４２とを備える。
【００３２】
〔密閉循環空冷ユニットの構成〕
図８ないし図１０は、密閉循環空冷ユニット７の構成を示す斜視図である。具体的に、図８は、光学ユニット３に取り付けられた状態を背面上方側から見た斜視図である。図９は、図８の状態から第１の下流側ダクト部材８１、熱交換器８５、カバー部材９１２、および放熱装置９４を取り外した状態を示す図である。図１０は、各上流側ダクト部材８３，９２を背面上方側から見た斜視図である。
なお、図８では、説明の便宜上、カバー部材８１２（図７）を省略している。また、図１０では、光学装置３５（入射側偏光板３５２を除く）との配置関係を示すために、光学装置３５を図示している。
密閉循環空冷ユニット７は、光学部品用筐体３６とともに本発明に係る密閉構造を構成する。この密閉循環空冷ユニット７は、図８に示すように、第１の空冷ユニット８と、第２の空冷ユニット９とを備える。
【００３３】
〔第２の空冷ユニットの構成〕
第２の空冷ユニット９は、光学部品用筐体３６とともに第２の密閉構造を構成し、前記第２の密閉構造内部の第２の空気流通路の空気を循環させて、光学部品用筐体３６における空間Ａｒ２に配置される偏光変換素子３２３を冷却する。この第２の空冷ユニット９は、図８ないし図１０に示すように、第２の下流側ダクト部材９１（図８、図９）と、第２の上流側ダクト部材９２と、第２の循環ファン９３（図１０）と、放熱装置９４（図８）とを備える。
なお、以下では、第２の空気流通路に沿って、空間Ａｒ２に対する上流を「上流」とするとともに空間Ａｒ２に対する下流を「下流」とし、下流側から順に説明する。
【００３４】
第２の下流側ダクト部材９１は、光学部品用筐体３６における空間Ａｒ２から外部に流出した空気を第２の上流側ダクト部材９２に導く部材である。この第２の下流側ダクト部材９１は、図８または図９に示すように、Ｌ字ダクト部９１１と、カバー部材９１２（図８）とを備える。
Ｌ字ダクト部９１１は、図９に示すように、光学部品用筐体３６における偏光変換素子３２３の配設位置近傍の外面形状に対応し、空間Ａｒ２の上方側から蓋状部材３６２の上方側端面に沿って背面側に延出する水平部９１１１と、光学部品用筐体３６の背面に沿って下方側に延出する鉛直部９１１２とを有するＬ字状に形成されている。
【００３５】
ここで、水平部９１１１において、下方側端面には、光学部品用筐体３６の開口部３６２２に対応する位置に、開口部３６２２を介して空間Ａｒ２に連通する連通口９１１１Ａが形成されている。
また、水平部９１１１において、上方側端面には、連通口９１１１Ａに平面的に干渉する位置から背面側に延びる開口部９１１１Ｂが形成されている。
この開口部９１１１Ｂにおける背面側の縁部には、２つの切り欠き９１１１Ｃが形成されている。
【００３６】
カバー部材９１２は、Ｌ字ダクト部９１１の開口部９１１１Ｂを閉塞する板状部材である。
そして、プロジェクタ１が組み立てられることで、光学部品用筐体３６における空間Ａｒ２から外部に流出した空気は、図９に示すように、連通口９１１１Ａを介してＬ字ダクト部９１１内部に導入され、水平部９１１１〜鉛直部９１１２の流路Ｃ２１を辿り、鉛直部９１１２から下方側に向けて排出される。
【００３７】
第２の上流側ダクト部材９２は、光学部品用筐体３６の下方側に配設され、第２の循環ファン９３を内部に収納するとともに、第２の下流側ダクト部材９１内部の流路Ｃ２１を辿って流通した空気を光学部品用筐体３６における空間Ａｒ２に導く部材である。この第２の上流側ダクト部材９２は、図１０に示すように、第２の空気導入部９２１と、カバー部材１１と、ベース部材１２とを備える。
第２の空気導入部９２１は、鉛直部９１１２に接続し、流路Ｃ２１を辿って流通した空気が第２の上流側ダクト部材９２内部に導入される部分である。この第２の空気導入部９２１は、図１０に示すように、上方側に窪んだ平面視略正方形状の凹部９２１１を有する容器状に形成され、容器状の開口側がベース部材１２に取り付けられる。
この凹部９２１１の底部分には、鉛直部９１１２の外形形状に対応した略三角形状を有し、流路Ｃ２１を辿って流通した空気を内部に導入するための連通口９２１２が形成されている。
【００３８】
なお、ベース部材１２は、第１の空冷ユニット８を構成する後述する第１の上流側ダクト部材８３と共通に用いられる部材であり、以下では、ベース部材１２における左側の平面視略正方形状の部位１３（以下、第２ベース部１３と記載する）のみを説明する。
第２ベース部１３は、上方側に窪み互いに連通する収納凹部１３１および排出側凹部１３２を有する容器状に形成されている。
収納凹部１３１は、平面視略正方形状を有し、内部に第２の循環ファン９３が収納されるとともに、底部分の外面に第２の空気導入部９２１が取り付けられる。
【００３９】
ここで、第２の循環ファン９３は、シロッコファンで構成され、前記第２の密閉構造内部の第２の空気流通路に沿って空気を循環させる。そして、第２の循環ファン９３は、吸入口９３１が上方側に向き、吐出口（図示略）が前面側に向くように、収納凹部１３１内部に収納される。
そして、収納凹部１３１において、吸入口９３１に対向する位置には、略円形状の開口部１３１１が形成されている。
【００４０】
排出側凹部１３２は、偏光変換素子３２３の配設位置に対応し、収納凹部１３１よりも前面側に設けられ、収納凹部１３１よりも上方側に膨出している。そして、排出側凹部１３２の底部分には、光学部品用筐体３６の開口部３６１２Ｐに対応し、開口部３６１２Ｐを介して空間Ａｒ２に連通する連通口１３２Ｐが形成されている。
【００４１】
カバー部材１１は、ベース部材１２と同様に、第１の空冷ユニット８を構成する後述する第１の上流側ダクト部材と共通に用いられる部材であり、ベース部材１２（第２ベース部１３）の下方側の開口部分を閉塞する板状部材である。
そして、プロジェクタ１が組み立てられることで、第２の下流側ダクト部材９１から外部に流出した空気は、図１０に示すように、連通口９２１２を介して第２の空気導入部９２１内部に導入され、第２の空気導入部９２１〜収納凹部１３１（第２の循環ファン９３）〜排出側凹部１３２の流路Ｃ２２を辿った後、連通口１３２Ｐおよび開口部３６１２Ｐを介して空間Ａｒ２に導入される。
【００４２】
すなわち、上述した流路Ｃ２１，Ｃ２２、および空間Ａｒ２により前記第２の密閉構造内部の環状の第２の空気流通路が構成される。そして、第２の循環ファン９３により、流路Ｃ２１〜流路Ｃ２２〜空間Ａｒ２〜流路Ｃ２１の環状の第２の空気流通路を辿って空気を流通させることで、空間Ａｒ２内の偏光変換素子３２３が冷却される。
なお、具体的な図示は省略したが、光学部品用筐体３６および第２の空冷ユニット９は、例えば、各部材間に弾性を有するシール部材等が介在されることで前記第２の空気流通路と外部とが連通しない密閉構造を構成している。
【００４３】
放熱装置９４は、前記第２の密閉構造内部の流路Ｃ２１を辿る空気の熱を受熱し、前記第２の密閉構造外部に放熱する装置である。この放熱装置９４は、図８に示すように、２つのヒートパイプ９４１と、放熱部材９４２とを備える。
２つのヒートパイプ９４１は、Ｌ字形状となるように屈曲形成されている。そして、ヒートパイプ９４１は、一方の端部が第２の下流側ダクト部材９１に形成された切り欠き９１１１Ｃを介して第２の下流側ダクト部材９１内部に配置され、カバー部材９１２内面に接続する。
ここで、具体的な図示は省略したが、カバー部材９１２の内面には、金属等の熱伝導性材料から構成される複数のフィン部材を有し、流路Ｃ２１を辿る空気の熱を受熱する受熱部材が設けられている。
そして、２つのヒートパイプ９４１は、一方の端部が前記受熱部材に熱伝達可能に接続し、他方の端部が放熱部材９４２に熱伝達可能に接続する。すなわち、２つのヒートパイプ９４１は、流路Ｃ２１を辿る空気から前記受熱部材に伝達された熱を前記第２の密閉構造内部から外部へと導き、放熱部材９４２に伝達させる。
【００４４】
放熱部材９４２は、外装筐体２における背面側に配設され、ヒートパイプ９４１を介して伝達された熱を放熱する。この放熱部材９４２は、金属等の熱伝導性材料から構成される板状の複数のフィン部材を有し、互いに平行して上下方向に積層配置された構成を有している。そして、２つのヒートパイプ９４１における他方の端部は、上方側から下方側に向けて各フィン部材を貫通し、各フィン部材と熱伝達可能に接続する。
そして、放熱部材９４２は、プロジェクタ１を組み立てた状態で、中継ダクト６２の前記配設用開口部を介して中継ダクト６２内部に配設される。このため、前記受熱部材〜２つのヒートパイプ９４１〜放熱部材９４２の熱伝達経路を辿って放熱部材９４２に伝達された熱は、中継ダクト６２内部の流路Ｃ１１を辿って流通する空気により冷却される。
【００４５】
〔第１の空冷ユニットの構成〕
第１の空冷ユニット８は、光学部品用筐体３６とともに第１の密閉構造を構成し、前記第１の密閉構造内部の第１の空気流通路の空気を循環させて光学部品用筐体３６における空間Ａｒ１に配置される光学装置３５を冷却する。この第１の空冷ユニット８は、図８ないし図１０に示すように、第１の下流側ダクト部材８１（図８）と、接続ダクト部材８２（図９）と、第１の上流側ダクト部材８３と、第１の循環ファン８４（図１０）と、熱交換器８５（図８）とを備える。
なお、以下では、第１の空気流通路に沿って、空間Ａｒ１に対する上流を「上流」とするとともに空間Ａｒ１に対する下流を「下流」とし、下流側から順に説明する。
【００４６】
第１の下流側ダクト部材８１は、光学部品用筐体３６における空間Ａｒ１から外部に流出した空気を接続ダクト部材８２に導く部材である。この第１の下流側ダクト部材８１は、図８に示すように、ダクト本体８１１と、カバー部材８１２（図７）とを備える。
ダクト本体８１１は、空間Ａｒ１の上方側から蓋状部材３６２の上方側端面に沿って背面側に延出し、上方側に開口部８１１１を有する容器状に形成されている。
このダクト本体８１１において、下方側端面には、蓋状部材３６２の切り欠き３６２１に対応する位置に、切り欠き３６２１を介して空間Ａｒ１に連通する連通口８１１２が形成されている。
また、ダクト本体８１１において、下方側端面の背面側には、内部の空気を外部に排出するための矩形状の連通口８１１３が形成されている。
【００４７】
カバー部材８１２は、ダクト本体８１１の開口部８１１１を閉塞する板状部材である。
また、カバー部材８１２には、図７に示すように、各液晶パネル３５１と制御基板５とを接続する各ＦＰＣケーブル３５１Ａを通すための孔８１２１が設けられている。そして、各孔８１２１と各ＦＰＣケーブル３５１Ａとの隙間は、第１の下流側ダクト部材８１内部の密閉性が損なわれないように、ゴム、スポンジ等により封止されている。
【００４８】
そして、プロジェクタ１が組み立てられることで、光学部品用筐体３６における空間Ａｒ１から外部に流出した空気は、図８に示すように、連通口８１１２を介してダクト本体８１１内部に導入され、流路Ｃ３１を辿って背面側に流通し、連通口８１１３を介して下方側に向けて排出される。
【００４９】
接続ダクト部材８２は、光学部品用筐体３６の背面側に配設され、熱交換器８５が設置されるとともに、第１の下流側ダクト部材８１内部の流路Ｃ３１を辿って流通した空気を第１の上流側ダクト部材８３に導く部材である。
この接続ダクト部材８２は、図９に示すように、上下方向に延出する断面略Ｕ字形状を有し、断面Ｕ字状の開口部分が背面側に向くように配設される。そして、接続ダクト部材８２は、断面Ｕ字状の開口部分に熱交換器８５が設置され、熱交換器８５により前記開口部分が閉塞されることで、上下方向に空気を流通可能とする流路Ｃ３２が形成される。
そして、プロジェクタ１が組み立てられることで、接続ダクト部材８２の上方側端部が第１の下流側ダクト部材８１の連通口８１１３の周縁部分に接続し、第１の下流側ダクト部材８１から外部に流出した空気は、流路Ｃ３２を辿って下方側に向けて排出される。
【００５０】
第１の上流側ダクト部材８３は、光学部品用筐体３６の下方側に配設され、第１の循環ファン８４を内部に収納するとともに、接続ダクト部材８２内部の流路Ｃ３２を辿って流通した空気を光学部品用筐体３６における空間Ａｒ１に導く部材である。この第１の上流側ダクト部材８３は、第１の空気導入部８３１と、カバー部材１１と、ベース部材１２と、を備える。
第１の空気導入部８３１は、接続ダクト部材８２の下方側端部に接続し、流路Ｃ３２を辿って流通した空気が第１の上流側ダクト部材８３内部に導入される部分である。この第１の空気導入部８３１は、図１０に示すように、上方側に窪んだ平面視略楕円形状の凹部８３１１を有する容器状に形成され、容器状の開口側がベース部材１２に取り付けられる。
この凹部８３１１の底部分には、接続ダクト部材８２の外形形状に対応した略矩形形状を有し、流路Ｃ３２を辿って流通した空気を内部に導入するための連通口８３１２が形成されている。
【００５１】
なお、ベース部材１２は、上述したように、第１の空冷ユニット８と共通に用いられる部材であるため、以下では、ベース部材１２における左側の平面視略長方形状の部位１４（以下、第１ベース部１４と記載する）のみを説明する。
第１ベース部１４は、第２ベース部１３と一体形成されたものであり、上方側に窪み互いに連通する収納凹部１４１および排出側凹部１４２を有する容器状に形成されている。
収納凹部１４１は、平面視略長方形状を有し、内部に第１の循環ファン８４（８４１，８４２）が左右方向に並列した状態で収納されるとともに、底部分の外面に第１の空気導入部８３１が取り付けられる。
【００５２】
ここで、第１の循環ファン８４は、前記第１の密閉構造内部の環状の第１の空気流通路に沿って空気を循環させるものであり、Ｂ用シロッコファン８４１およびＲＧ用シロッコファン８４２の２つで構成されている。そして、Ｂ用シロッコファン８４１は、吸入口８４１１が上方側に向き、吐出口（図示略）が前面側に向くように、収納凹部１４１内部に収納される。また、ＲＧ用シロッコファン８４２は、吸入口８４２１が上方側に向き、吐出口（図示略）が前面側から左側に傾斜した状態で、収納凹部１４１内部に収納される。
そして、収納凹部１４１において、各吸入口８４１１，８４２１に対応する位置には、略円形状の開口部１４１１，１４１２が形成されている。
【００５３】
排出側凹部１４２は、光学装置３５の配設位置に対応し、収納凹部１４１よりも前面側に設けられ、収納凹部１４１よりも上方側に膨出している。そして、排出側凹部１４２の底部分には、光学部品用筐体３６の各開口部３６１２Ｒ，３６１２Ｇ，３６１２Ｂに対応し、各開口部３６１２Ｒ，３６１２Ｇ，３６１２Ｂを介して空間Ａｒ１に連通する連通口１４２Ｒ，１４２Ｇ，１４２Ｂが形成されている。
【００５４】
カバー部材１１は、ベース部材１２における第２ベース部１３の下方側の開口部分を閉塞するとともに、第１ベース部１４の下方側の開口部分を閉塞する。
そして、プロジェクタ１が組み立てられることで、接続ダクト部材８２から外部に流出した空気は、図１０に示すように、連通口８３１２を介して第１の空気導入部８３１内部に導入された後、第１の空気導入部８３１内部にて２つに分岐される。
第１の空気導入部８３１内部にて分岐された一方の空気は、第１の空気導入部８３１〜収納凹部１４１（Ｂ用シロッコファン８４１）〜排出側凹部１４２の流路Ｃ３３Ｂを辿った後、連通口１４２Ｂおよび開口部３６１２Ｂを介して空間Ａｒ１に導入される。
【００５５】
また、第１の空気導入部８３１内部にて分岐された他方の空気は、第１の空気導入部８３１〜収納凹部１４１（ＲＧ用シロッコファン８４２）〜排出側凹部１４２の流路Ｃ３３ＲＧを辿った後、排出側凹部１４２内部にて２つに分岐される。
排出側凹部１４２内部にて分岐された一方の空気は、連通口１４２Ｒおよび開口部３６１２Ｒを介して空間Ａｒ１に導入される。
また、排出側凹部１４２内部にて分岐された他方の空気は、連通口１４２Ｇおよび開口部３６１２Ｇを介した空間Ａｒ１に導入される。
【００５６】
すなわち、上述した流路Ｃ３１，Ｃ３２，Ｃ３３Ｂ，Ｃ３３ＲＧ、および空間Ａｒ１により前記第１の密閉構造内部の環状の第１の空気流通路が構成される。そして、第１の循環ファン８４により、流路Ｃ３１〜Ｃ３２〜Ｃ３３Ｂ，Ｃ３３ＲＧ〜空間Ａｒ１〜流路Ｃ３１の環状の第１の空気流通路を辿って空気を流通させることで、空間Ａｒ１内の光学装置３５（液晶パネル３５１、入射側偏光板３５２、射出側偏光板３５３等）が冷却される。
なお、具体的な図示は省略したが、光学部品用筐体３６および第１の空冷ユニット８は、例えば、各部材間に弾性を有するシール部材等が介在されることで前記第１の空気流通路と外部とが連通しない密閉構造を構成している。
【００５７】
熱交換器８５は、具体的な構成については後述するが、接続ダクト部材８２に設置され、前記第１の密閉構造内部の流路Ｃ３２を辿る空気の熱を受熱し、前記第１の密閉構造外部に放熱する装置である。
この熱交換器８５は、接続ダクト部材８２の断面Ｕ字状の開口部分に設置されることで、前面側の部位が接続ダクト部材８２の内側に配設される。そして、熱交換器８５は、前面側の部位にて流路Ｃ３２を辿る空気の熱を受熱し、背面側の部位に伝達させる。
また、熱交換器８５は、プロジェクタ１を組み立てた状態で、中継ダクト６２の前記配設用開口部を介して背面側の部位が中継ダクト６２内部に配設される。このため、熱交換器８５において、前面側の部位から背面側の部位に伝達された熱は、中継ダクト６２内部の流路Ｃ１１を辿って流通する空気により冷却される。
【００５８】
〔熱交換器の詳細な構成〕
図１１および図１２は、熱交換器８５の構成を示す分解斜視図である。具体的に、図１１は、背面側から見た図である。図１２は、前面側から見た図である。
熱交換器８５は、図１１または図１２に示すように、パッシブ型熱交換器８６と、アクティブ型熱交換器８７の２つで構成されている。
【００５９】
〔パッシブ型熱交換器の構成〕
パッシブ型熱交換器８６は、受熱側伝熱部材８６１と、取付部材８８と、ブロック８６２と、放熱側伝熱部材８６３とを備える。
受熱側伝熱部材８６１は、熱交換器８５が接続ダクト部材８２に取り付けられた状態で、接続ダクト部材８２の内側に配設される。この受熱側伝熱部材８６１は、矩形状の板体８６１１と、板体８６１１における前面側の端面から突出し上下方向に延出する複数のフィン部材８６１２とを有する、いわゆるヒートシンクで構成されている。そして、受熱側伝熱部材８６１は、流路Ｃ３２を辿る空気の熱を受熱する。
【００６０】
なお、取付部材８８は、アクティブ型熱交換器８７と共通に用いられる部材であり、以下では、取付部材８８における上方側の部位８８１（以下、第１取付部８８１と記載する）のみを説明する。
第１取付部８８１は、各部材８６１〜８６３を一体化して、接続ダクト部材８２に取り付けるための部材である。この第１取付部８８１は、熱伝導率が低い（例えば、０．９Ｗ／（ｍ・Ｋ）以下）材料で構成され、板体８６１１よりも大きい外形形状を有する矩形板状に形成されている。そして、この第１取付部８８１は、熱交換器８５が接続ダクト部材８２に取り付けられた状態で、接続ダクト部材８２における断面Ｕ字状の開口部分を閉塞する。
また、第１取付部８８１には、略中央部分にブロック８６２を嵌合可能とする開口部８８１１が形成されている。
そして、具体的な図示は省略したが、受熱側伝熱部材８６１は、第１取付部８８１の前面側の端面にねじ等により固定される。
【００６１】
ブロック８６２は、金属等の熱伝導性部材から構成された略直方体状の板体であり、第１取付部８８１の開口部８８１１に嵌合される。また、ブロック８６２は、第１取付部８８１の厚み寸法よりも若干大きい厚み寸法を有する。そして、ブロック８６２は、熱交換器８５を組み立てた状態で、受熱側伝熱部材８６１の板体８６１１に熱伝達可能に接続する。
【００６２】
放熱側伝熱部材８６３は、熱交換器８５を組み立ててプロジェクタ１に組み込んだ状態で、中継ダクト６２の前記配設用開口部を介して中継ダクト６２内部に配設される。この放熱側伝熱部材８６３は、受熱側伝熱部材８６１と同様に、板体８６３１および複数のフィン部材８６３２を有するヒートシンクで構成されている。ここで、複数のフィン部材８６３２は、受熱側伝熱部材８６１における複数のフィン部材８６１２の延出方向と略直交する方向（左右方向）に延出するように形成されている。
そして、具体的な図示は省略したが、放熱側伝熱部材８６３は、第１取付部８８１の背面側の端面にねじ等により固定される。この状態では、放熱側伝熱部材８６３は、受熱側伝熱部材８６１とでブロック８６２を挟持した状態となる。すなわち、パッシブ型熱交換器８６には、受熱側伝熱部材８６１〜ブロック８６２〜放熱側伝熱部材８６３の熱伝達経路が形成される。
【００６３】
〔アクティブ型熱交換器の構成〕
アクティブ型熱交換器８７は、パッシブ型熱交換器８６の下方側に設けられている。このアクティブ型熱交換器８７は、パッシブ型熱交換器８６と同様の機能および形状を有する、板体８７１１および複数のフィン部材８７１２で構成された受熱側伝熱部材８７１と、取付部材８８と、ブロック８７２と、板体８７３１および複数のフィン部材８７３２で構成された放熱側伝熱部材８７３の他、熱電変換素子としてのペルチェ素子８７４を備える。
【００６４】
ここで、取付部材８８は、上述したように、パッシブ型熱交換器８６と共通に用いられる部材であるため、以下では、取付部材８８における下方側の部位８８２（以下、第２取付部８８２と記載する）のみを説明する。
第２取付部８８２は、取付部材８８の前面側および背面側の端面から突出し第１取付部８８１とを区画する区画部８８３を介して第１取付部８８１と一体形成されたものであり、各部材８７１〜８７４を一体化して、接続ダクト部材８２に取り付けるための部材である。この第２取付部８８２は、第１取付部８８１と略同一の外形形状を有するように形成されている。
【００６５】
この第２取付部８８２において、略中央部分には、第１取付部８８１と同様に、ブロック８７２を嵌合可能とする開口部８８２１が形成されている。
また、第２取付部８８２には、開口部８８２１周縁部分から背面側に突出する枠形状を有し、枠状内側部分にてペルチェ素子８７４の外縁部分を保持する保持部８８２２が形成されている。
【００６６】
ペルチェ素子８７４は、具体的な図示は省略したが、ｐ型半導体とｎ型半導体とを金属片で接合して構成した接合対を複数有しており、これら複数の接合対は電気的に直接に接続されている。
このような構成を有するペルチェ素子８７４において、制御基板５による制御の下、電力が供給されると、ペルチェ素子８７４の前面側の端面が熱を吸収する吸熱面８７４１となり、背面側の端面が熱を放熱する放熱面８７４２となる。
ここで、ブロック８７２の厚み寸法とペルチェ素子８７４の厚み寸法とを加えた長さ寸法は、第２取付部８８２の前面側の端面から保持部８８２２の突出方向先端部分までの長さ寸法よりも若干大きくなるように設定されている。
そして、ペルチェ素子８７４は、熱交換器８５を組み立てた状態で、第２取付部８８２の保持部８８２２に嵌合され、吸熱面８７４１がブロック８７２に熱伝達可能に接続するとともに放熱面８７４２が放熱側伝熱部材８７３に熱伝達可能に接続する。すなわち、アクティブ型熱交換器８７には、受熱側伝熱部材８７１〜ブロック８７２〜ペルチェ素子８７４〜放熱側伝熱部材８７３の熱伝達経路が形成される。
【００６７】
〔ペルチェ素子の制御構造〕
図１３は、ペルチェ素子８７４の制御構造を模式的に示すブロック図である。
制御基板５は、ペルチェ素子８７４の動作を制御する機能として、図１３に示すように、ペルチェ制御部５１と、メモリ５２とを備える。
ペルチェ制御部５１は、ペルチェ素子８７４に電力を供給する駆動部８７４Ａに所定の制御指令を出力してペルチェ素子８７４の動作を制御する。
そして、ペルチェ制御部５１は、以下に示す場合に、ペルチェ素子８７４への電力供給を停止させ、アクティブ型熱交換器８７を、見掛け上、ペルチェ素子を使用しないパッシブ型熱交換器８６と同様の機能に設定する。
【００６８】
例えば、ペルチェ制御部５１は、制御基板５に接続され前記第１の密閉構造内部の温度を検出するサーミスタ等で構成された内部温度検出部５３にて検出された内部温度と、メモリ５２に記憶された第１設定温度情報に基づく第１設定温度とを比較し、内部温度が第１設定温度以下である場合に、駆動部８７４Ａに所定の制御指令を出力して、ペルチェ素子８７４への電力供給を停止させる。
【００６９】
また、例えば、ペルチェ制御部５１は、制御基板５に接続され前記第１の密閉構造外部の雰囲気温度を検出するサーミスタ等で構成された外部温度検出部５４にて検出された外部温度（雰囲気温度）と、メモリ５２に記憶された第２設定温度情報に基づく第２設定温度とを比較し、外部温度が第２設定温度以下である場合に、駆動部８７４Ａに所定の制御指令を出力して、ペルチェ素子８７４への電力供給を停止させる。
【００７０】
メモリ５２は、ペルチェ制御部５１にて処理を実行する際の制御プログラム、処理を実行するために必要な情報（第１設定温度情報および第２設定温度情報）等を記憶する。
【００７１】
上述した実施形態によれば、以下の効果がある。
本実施形態では、第１の密閉構造を構成する光学部品用筐体３６内部の空間Ａｒ１に光学装置３５が収納配置されているので、光学装置３５に塵埃、油煙等が付着することを防止でき、プロジェクタ１から投射される投影画像の画質を長期間安定に確保できる。
また、第１の密閉構造を構成する熱交換器８５は、パッシブ型熱交換器８６およびアクティブ型熱交換器８７の２つで構成されているので、流路Ｃ３２中の２つの位置で、受熱側伝熱部材８６１，８７１にて第１の密閉構造内部の空気の熱を受熱し、受熱側伝熱部材８６１，８７１にて受熱した熱を放熱側伝熱部材８６３，８７３にて第１の密閉構造外部に放熱させることができる。このため、例えば、光学装置３５の発熱量が多い場合等であっても、第１の密閉構造内部の空気を効果的に冷却でき、光学装置３５を効率的に冷却できる。
さらに、２つの熱交換器８６，８７は、上下方向に、すなわち、空気の流通方向に沿って直列に配設されているので、流路Ｃ３２の上流側に位置するパッシブ型熱交換器８６から順に、流路Ｃ３２に沿って流通する空気を２段階で冷却できる。このため、温度のより低減した空気を光学部品用筐体３６内部に収納配置される光学装置３５に向けて送風でき、光学装置３５をより効率的に冷却できる。
【００７２】
ここで、２つの熱交換器８６，８７は、近接して配設されている。このことにより、例えば、２つの熱交換器８６，８７が離間して配設されている構成と比較して、各熱交換器８６，８７間において、空気の温度上昇を回避でき、各熱交換器８６，８７を介して空気が流通することで空気の温度を２段階で低減できる。
【００７３】
また、パッシブ型熱交換器８６は、ペルチェ素子を備えていない。そして、パッシブ型熱交換器８６には光学装置３５にて温められ外部温度との温度差の大きい空気が最初に流通するので、パッシブ型熱交換器８６によって、ペルチェ素子を使用した構成と同一の効率で、第１の密閉構造内部の空気から吸熱できる。このため、ペルチェ素子を省略することで、プロジェクタ１の低コスト化、および省電力化が図れる。
さらに、アクティブ型熱交換器８７は、ペルチェ素子８７４を備える。すなわち、パッシブ型熱交換器８６を流通することで空気の温度が低下し、アクティブ型熱交換器８７には外部温度との温度差の小さい空気が流通するので、パッシブ型熱交換器８６にて冷却された空気の温度をさらにアクティブ型熱交換器８７により低下させることができる。
【００７４】
ここで、制御基板５を構成するペルチェ制御部５１は、第１の密閉構造の内部温度が低い（例えば、液晶パネル３５１等の光学装置３５の目標温度よりも低い）場合、すなわち、第１の密閉構造内部の空気の温度を低下させる必要のない場合に、ペルチェ素子８７４への電力供給を停止する。このことにより、プロジェクタ１の省電力化が図れる。
【００７５】
また、ペルチェ制御部５１は、第１の密閉構造の外部温度が低く、第１の密閉構造の内部温度と外部温度との温度差が大きい場合に、ペルチェ素子８７４への電力供給を停止する。すなわち、上述した場合において、ペルチェ素子８７４への電力供給を停止し、見掛け上、アクティブ型熱交換器８７をパッシブ型熱交換器と同様の構成としても、ペルチェ素子を使用した構成と使用しない構成とで第１の密閉構造内部の空気から吸熱する効率が略同一のものとなるため、第１の密閉構造内部の空気を良好に冷却しつつ、プロジェクタ１の省電力化が図れる。
【００７６】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図１４は、第２実施形態における熱交換器８５の構成を示す分解斜視図である。具体的に、図１４は、背面側から見た図である。
前記第１実施形態では、パッシブ型熱交換器８６およびアクティブ型熱交換器８７において、各受熱側伝熱部材８６１，８７１が同一形状で形成されるとともに、各放熱側伝熱部材８６３，８７３が同一形状で形成されている。すなわち、流路Ｃ３２を辿る空気の熱を受熱する表面積が同一であるとともに、流路Ｃ１１を辿る空気に熱を放熱する表面積が同一に設定されている。
これに対して第２実施形態では、パッシブ型熱交換器８６およびアクティブ型熱交換器８７は、流路Ｃ３２を辿る空気の熱を受熱する表面積が異なるとともに、流路Ｃ１１を辿る空気に熱を放熱する表面積が異なるように設定されている。
【００７７】
具体的には、図１４に示すように、パッシブ型熱交換器８６を構成する受熱側伝熱部材８６１、第１取付部８８１、および放熱側伝熱部材８６３は、アクティブ型熱交換器８７を構成する受熱側伝熱部材８７１、第２取付部８８２、および放熱側伝熱部材８７３に対して、上下方向の長さ寸法が大きくなるように形成されている。
【００７８】
上述した第２実施形態においては、前記第１実施形態で説明した効果の他、以下に示す効果がある。
本実施形態では、パッシブ型熱交換器８６は、アクティブ型熱交換器８７に対して、受熱側伝熱部材８６１および放熱側伝熱部材８６３の表面積が大きくなるように形成されている。このことにより、パッシブ型熱交換器８６には光学装置３５にて温められた温度の高い空気が最初に流通するので、パッシブ型熱交換器８６によって、温度の高い空気から効果的に吸熱でき、流路Ｃ３２に沿って流通する空気を効率よく段階的に冷却できる。
【００７９】
なお、本発明は前述の実施形態に限定されるものではなく、本発明の目的を達成できる範囲での変形、改良等は本発明に含まれるものである。
前記各実施形態では、熱交換器８５を、パッシブ型熱交換器８６およびアクティブ型熱交換器８７で構成していたが、これに限らず、その他の構成を採用しても構わない。
例えば、熱交換器８５を３つ以上で構成しても構わない。この場合には、前記各実施形態と同様に、流路Ｃ３２の上流側から１つ目の熱交換器をパッシブ型熱交換器（ペルチェ素子を使用しない）で構成し、２つ目以降の熱交換器をアクティブ型熱交換器（ペルチェ素子を使用する）で構成することが好ましい。
また、例えば、パッシブ型熱交換器８６は、ペルチェ素子を備えていない構成であったが、これに限らず、アクティブ型熱交換器８７と同様に、ペルチェ素子を備える構成としても構わない。
さらに、例えば、アクティブ型熱交換器８７は、ペルチェ素子８７４を備えた構成であったが、これに限らず、パッシブ型熱交換器８６と同様に、ペルチェ素子を省略した構成としても構わない。
【００８０】
前記各実施形態では、第１の密閉構造内部に光学装置３５が配設された構成としていたが、冷却対象としては、光学装置３５に限らず、その他の光学部品を採用しても構わない。
前記各実施形態では、光源装置３１は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
【００８１】
前記各実施形態では、プロジェクタ１は、液晶パネル３５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記各実施形態では、光入射面と光射出面とが異なる透過型の液晶パネルを用いていたが、光入射面と光射出面とが同一となる反射型の液晶パネルを用いても構わない。
前記各実施形態では、光変調装置として液晶パネルを用いていたが、マイクロミラーを用いたデバイス等、液晶以外の光変調装置を用いても構わない。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００８２】
本発明は、投影画像の画質を安定に確保し、かつ、光学部品を効率的に冷却できるため、プレゼンテーションやホームシアタに用いられるプロジェクタに利用できる。
【図面の簡単な説明】
【００８３】
【図１】第１実施形態におけるプロジェクタの外観を示す斜視図。
【図２】前記実施形態におけるプロジェクタの内部構成を示す図。
【図３】前記実施形態におけるプロジェクタの内部構成を示す図。
【図４】前記実施形態における光学ユニットの構成を示す図。
【図５】前記実施形態における光学ユニットの構成を示す図。
【図６】前記実施形態における光学ユニットの構成を示す図。
【図７】前記実施形態における筐体内部冷却装置の構成を示す斜視図。
【図８】前記実施形態における密閉循環空冷ユニットの構成を示す斜視図。
【図９】前記実施形態における密閉循環空冷ユニットの構成を示す斜視図。
【図１０】前記実施形態における密閉循環空冷ユニットの構成を示す斜視図。
【図１１】前記実施形態における熱交換器の構成を示す分解斜視図。
【図１２】前記実施形態における熱交換器の構成を示す分解斜視図。
【図１３】前記実施形態におけるペルチェ素子の制御構造を模式的に示すブロック図。
【図１４】第２実施形態における熱交換器の構成を示す分解斜視図。
【符号の説明】
【００８４】
１・・・プロジェクタ、３５・・・光学装置（光学部品）、３６・・・光学部品用筐体、５１・・・ペルチェ制御部（制御装置）、５３・・・内部温度検出部、５４・・・外部温度検出部、８１・・・第１の下流側ダクト部材、８２・・・接続ダクト部材、８３・・・第１の上流側ダクト部材、８４・・・循環ファン、８５・・・熱交換器、８６１，８７１・・・受熱側伝熱部材、８６３，８７３・・・放熱側伝熱部材、８７４・・・ペルチェ素子（熱電変換素子）、３６１２Ｒ，３６１２Ｇ，３６１２Ｂ・・・開口部（流入口）、３６２１・・・切り欠き（流出口）、８７４１・・・吸熱面、８７４２・・・放熱面、
【図１】
0004479784.tif 000002
【図２】
0004479784.tif 000003
【図３】
0004479784.tif 000004
【図４】
0004479784.tif 000005
【図５】
0004479784.tif 000006
【図６】
0004479784.tif 000007
【図７】
0004479784.tif 000008
【図８】
0004479784.tif 000009
【図９】
0004479784.tif 000010
【図１０】
0004479784.tif 000011
【図１１】
0004479784.tif 000012
【図１２】
0004479784.tif 000013
【図１３】
0004479784.tif 000014
【図１４】
0004479784.tif 000015